(57)【特許請求の範囲】
【請求項１】
端末操作が所定時間以上無いことを検知する無操作検知部と、
前記無操作検知部により端末操作が所定時間以上無いことが検知された場合に、所定の受信必須信号が受信されたか否かを判定する受信判定部と、
前記受信判定部により所定の受信必須信号が受信されていないと判定された場合に、端末操作によらないアプリケーションに起因する送信データが有るか否かを判定するアプリ起因送信データ有無判定部と、
前記アプリ起因送信データ有無判定部により、端末操作によらないアプリケーションに起因する送信データが有ると判定された場合に、当該端末操作によらないアプリケーションに起因する送信データの送信を回避するよう制御する送信制御部と、
を備える携帯端末。
【請求項２】
携帯端末により実行される通信制御方法であって、
端末操作が所定時間以上無いことを検知するステップと、
端末操作が所定時間以上無いことが検知された場合に、所定の受信必須信号が受信されたか否かを判定するステップと、
所定の受信必須信号が受信されていないと判定された場合に、端末操作によらないアプリケーションに起因する送信データが有るか否かを判定するステップと、
端末操作によらないアプリケーションに起因する送信データが有ると判定された場合に、当該端末操作によらないアプリケーションに起因する送信データの送信を回避するよう制御するステップと、
を備える通信制御方法。
【発明の詳細な説明】
【技術分野】
【０００１】
本発明は、携帯端末、および、携帯端末により実行される通信制御方法に関する。
【背景技術】
【０００２】
近年、音声通話機能や電子メール送受信のみならず、多種多様なアプリケーションをダウンロードして動作させることができる携帯端末が急速に普及している。ところが、携帯端末の機能が高度化するにつれて、端末操作が無い状況を含むさまざまな状況において、携帯端末にインストールされているアプリケーションやＯＳ（オペレーティングシステム）にのみ起因する通信、即ち、ユーザが意図しない通信が発生している現状がある。
【先行技術文献】
【特許文献】
【０００３】
【特許文献１】特開２００４−２９９６０号公報
【発明の概要】
【発明が解決しようとする課題】
【０００４】
上記のような現状では、ユーザが意図しない通信の発生により無駄な電力を消費してしまう、という課題があった。
【０００５】
一方、携帯端末における不要な動作を抑制するために、端末操作が一定期間無い場合に表示の明るさを低下させる等の制御を行う技術が上記の特許文献１に提案されている。ところが、特許文献１は、前述したようなユーザが意図しない通信の発生に着目した技術ではないため、ユーザが意図しない通信の発生により無駄な電力を消費してしまう、という課題は未解決であった。
【０００６】
本発明は、上記課題を解決するために成されたものであり、ユーザが意図しない通信の発生を抑止し無駄な電力消費を防止することを目的とする。
【課題を解決するための手段】
【０００７】
上記の目的を達成するために、本発明の一態様に係る携帯端末は、端末操作が所定時間以上無いことを検知する無操作検知部と、前記無操作検知部により端末操作が所定時間以上無いことが検知された場合に、所定の受信必須信号が受信されたか否かを判定する受信判定部と、前記受信判定部により所定の受信必須信号が受信されていないと判定された場合に、端末操作によらないアプリケーションに起因する送信データが有るか否かを判定するアプリ起因送信データ有無判定部と、前記アプリ起因送信データ有無判定部により、端末操作によらないアプリケーションに起因する送信データが有ると判定された場合に、当該端末操作によらないアプリケーションに起因する送信データの送信を回避するよう制御する送信制御部と、を備えることを特徴とする。
【０００８】
同様に、本発明の一態様に係る通信制御方法は、携帯端末により実行される通信制御方法であって、端末操作が所定時間以上無いことを検知するステップと、端末操作が所定時間以上無いことが検知された場合に、所定の受信必須信号が受信されたか否かを判定するステップと、所定の受信必須信号が受信されていないと判定された場合に、端末操作によらないアプリケーションに起因する送信データが有るか否かを判定するステップと、端末操作によらないアプリケーションに起因する送信データが有ると判定された場合に、当該端末操作によらないアプリケーションに起因する送信データの送信を回避するよう制御するステップと、を備えることを特徴とする。
【０００９】
上記のような本発明の一態様によれば、携帯端末において、端末操作が所定時間以上無いことが検知され、さらに、所定の受信必須信号が受信されていないと判定されると、端末操作によらないアプリケーションに起因する送信データが有るか否かが判定される。ここで、端末操作によらないアプリケーションに起因する送信データが有ると判定された場合、当該端末操作によらないアプリケーションに起因する送信データの送信を回避する制御が実行される。これにより、端末操作が所定時間以上無い状況では、所定の受信必須信号が受信されていないとき、端末操作によらないアプリケーションに起因する送信データが有っても、当該端末操作によらないアプリケーションに起因する送信データの送信は回避される。従って、ユーザが意図しない通信の発生を抑止し無駄な電力消費を防止することができる。
【００１４】
なお、本発明の一態様における「所定の受信必須信号」としては、例えば、通信継続に必要な制御信号、携帯端末で動作するアプリケーションにより処理されるアプリケーションデータなどが挙げられる。
【発明の効果】
【００１５】
本発明によれば、ユーザが意図しない通信の発生を抑止し無駄な電力消費を防止することができる。
【図面の簡単な説明】
【００１６】
【図１】第１実施形態に係る携帯端末の機能ブロック図である。
【図２】携帯端末のハードウェア構成図である。
【図３】第１実施形態に係る携帯端末により実行される処理を示すフロー図である。
【図４】第２実施形態に係る携帯端末の機能ブロック図である。
【図５】第２実施形態に係る携帯端末により実行される処理を示すフロー図である。
【発明を実施するための形態】
【００１７】
添付図面を参照しながら本発明の各種実施形態を説明する。可能な場合には、同一の部分には同一の符号を付して、重複する説明を省略する。
【００１８】
［第１実施形態］
第１実施形態は、前述した「本発明の一態様」に対応し、端末操作が所定時間以上無い状況で、所定の受信必須信号が受信されていないとき、端末操作によらないアプリケーションに起因する送信データが有っても、当該端末操作によらないアプリケーションに起因する送信データの送信を回避する実施形態である。なお、「所定の受信必須信号」としては、例えば、通信継続に必要な制御信号、携帯端末で動作するアプリケーションにより処理されるアプリケーションデータなどが挙げられ、以下の第１、第２実施形態において同様である。
【００１９】
図１には、本実施形態に係る携帯端末１０の機能ブロック図を示す。携帯端末１０は、携帯型の情報処理装置全般を適用可能であり、携帯電話、スマートフォン、携帯型のパーソナルコンピュータなどのさまざまな端末に該当する。この図１に示すように、携帯端末１０は、機能的には、受信部１１、受信判定部１２、無操作検知部１３、アプリ起因送信データ有無判定部１４、および送信制御部１５を備える。各部の機能・動作については後述する。
【００２０】
図２には、携帯端末１０のハードウェア構成例を示す。携帯端末１０は、ハードウェアとしては、ＣＰＵ１０Ａ、主記憶装置であるＲＡＭ１０ＢおよびＲＯＭ１０Ｃ、データ送受信デバイスである通信モジュール１０Ｄ、フラッシュメモリ等の補助記憶装置１０Ｅ、情報やコマンド等を入力するための入力装置１０Ｆ、ディスプレイ等の出力装置１０Ｇなどを含んで構成されている。図１の携帯端末１０が備える各部の機能は、図２に示すＣＰＵ１０Ａ、ＲＡＭ１０Ｂ等のハードウェア上に所定のコンピュータソフトウェアを読み込ませてＣＰＵ１０Ａの制御のもとで上記コンピュータソフトウェアに従って、通信モジュール１０Ｄ、入力装置１０Ｆ、出力装置１０Ｇを動作させＲＡＭ１０Ｂや補助記憶装置１０Ｅにおけるデータの読み出しおよび書き込みを行うことで実現される。再び、図１を参照し、携帯端末１０の各部の機能・動作について説明する。
【００２１】
受信部１１は、外部から送られてきた制御信号およびデータを受信する部分である。無操作検知部１３は、端末操作を監視し、端末操作が所定時間以上無いことを検知する部分であり、ここでの「所定時間」は、例えば１分間、５分間などの、予め定められた時間又はユーザにより任意に設定された時間であり、以下の第１、第２実施形態において同様である。受信判定部１２は、無操作検知部１３により端末操作が所定時間以上無いことが検知された場合に、所定の受信必須信号が受信されたか否かを判定する部分である。
【００２２】
アプリ起因送信データ有無判定部１４は、受信判定部１２により所定の受信必須信号が受信されていないと判定された場合に、端末操作によらないアプリケーションに起因する送信データが有るか否かを判定する部分である。送信制御部１５は、外部へ制御信号およびデータを送信するとともに、アプリ起因送信データ有無判定部１４により、端末操作によらないアプリケーションに起因する送信データが有ると判定された場合に、当該端末操作によらないアプリケーションに起因する送信データの送信を回避するよう制御する部分である。
【００２３】
以下、図３を用いて、携帯端末１０にて実行される通信制御方法に係る処理について説明する。無操作検知部１３は端末操作を監視しており、何らかの端末操作を検知すれば（ステップＳ１でＮＯ）、当該端末操作に準ずる動作を行う（ステップＳ２）。一方、無操作検知部１３が、端末操作が所定時間以上無いことを検知すると（ステップＳ１でＹＥＳ）、受信判定部１２は、受信部１１により外部から所定の受信必須信号が受信されたか否かを判定する（ステップＳ３）。
【００２４】
所定の受信必須信号が受信された場合（ステップＳ３でＹＥＳ）、送信制御部１５は、上り信号（uplink信号（以下「ＵＬ信号」ともいう））で、以下のような、受信必須信号に応じた応答を返す（ステップＳ４）。例えば、所定の受信必須信号として「通信継続に必要な制御信号」が受信された場合は、当該制御信号に必要な応答信号を返し、所定の受信必須信号として「アプリケーションデータ」が受信された場合は、ＡＣＫ／ＮＡＣＫ信号を返す。
【００２５】
一方、所定の受信必須信号が受信されていない場合（ステップＳ３でＮＯ）、アプリ起因送信データ有無判定部１４は、端末操作によらないアプリケーションに起因する送信データが有るか否かを判定する（ステップＳ５）。ここで、端末操作によらないアプリケーションに起因する送信データが無ければ（ステップＳ５でＮＯ）、送信制御部１５は、送信データが無いため、ＵＬ信号を送信しない（ステップＳ６）。一方、端末操作によらないアプリケーションに起因する送信データが有る場合（ステップＳ５でＹＥＳ）であっても、送信制御部１５は、当該端末操作によらないアプリケーションに起因する送信データの送信を回避するよう制御する（ステップＳ７）。
【００２６】
以上説明した第１実施形態によれば、端末操作が所定時間以上無い状況では、所定の受信必須信号が受信されていないとき、端末操作によらないアプリケーションに起因する送信データが有っても、当該端末操作によらないアプリケーションに起因する送信データの送信は回避される。従って、ユーザが意図しない通信の発生を抑止し無駄な電力消費を防止することができる。
【００２７】
［第２実施形態］
第２実施形態は、端末操作が所定時間以上無い状況で、所定の受信必須信号が受信されていないとき、端末操作によらないアプリケーションに起因する送信データが有ったら、ある時間間隔で当該端末操作によらないアプリケーションに起因する送信データを送信するよう制御する実施形態である。
【００２８】
図４には、第２実施形態に係る携帯端末１０の機能ブロック図を示す。第２実施形態に係る携帯端末１０では、受信部１１、受信判定部１２、無操作検知部１３、およびアプリ起因送信データ有無判定部１４の機能・動作は、第１実施形態と同様である。しかし、送信制御部１５の構成・機能・動作が、第１実施形態とは異なるため、以下説明する。
【００２９】
第２実施形態における送信制御部１５は、外部へ制御信号およびデータを送信するとともに、端末操作によらないアプリケーションに起因する送信データが有ると判定された場合、ある時間間隔で当該端末操作によらないアプリケーションに起因する送信データを送信するよう制御する機能を有する。かかる機能を実現するため、送信制御部１５は、タイミング判定部１５Ａと送信部１５Ｂとを含んで構成される。
【００３０】
このうちタイミング判定部１５Ａは、端末操作によらないアプリケーションに起因する送信データを送信するタイミングの到来を判定し、当該タイミングになったときに当該タイミングの到来を示す信号を後述の送信部１５Ｂへ送信する部分である。また、タイミング判定部１５Ａは、端末操作によらないアプリケーションに起因する送信データが当該アプリケーションにより生成されるタイミングを把握し、当該把握の結果に基づいて、上記の「ある時間間隔」（端末操作によらないアプリケーションに起因する送信データを送信する時間間隔）を設定する。これにより、端末操作によらないアプリケーションに起因する送信データが生成されるタイミングを考慮して適切な時間間隔を設定することができる。なお、別の例として、上記の「ある時間間隔」は、ユーザによって設定されてもよい。
【００３１】
送信部１５Ｂは、外部へ制御信号およびデータを送信するとともに、上記タイミングの到来を示す信号をタイミング判定部１５Ａから受け取ったときに上記端末操作によらないアプリケーションに起因する送信データを送信する部分である。
【００３２】
以下、図５を用いて、携帯端末１０にて実行される通信制御方法に係る処理について説明する。図５のステップＳ１〜Ｓ６の処理は、前述した第１実施形態に係る図３のステップＳ１〜Ｓ６の処理と同様なので、重複した説明を省略する。
【００３３】
ステップＳ５においてアプリ起因送信データ有無判定部１４により、端末操作によらないアプリケーションに起因する送信データが有ると判定されると（ステップＳ５でＹＥＳ）、送信制御部１５は、ある時間間隔で当該端末操作によらないアプリケーションに起因する送信データを送信するよう制御する（ステップＳ８、Ｓ９）。具体的には、ステップＳ８にてタイミング判定部１５Ａは、端末操作によらないアプリケーションに起因する送信データを送信するタイミングの到来を判定する。そして、当該タイミングになったとき（ステップＳ８でＹＥＳ）、タイミング判定部１５Ａは、当該タイミングの到来を示す信号を送信部１５Ｂへ送信し、送信部１５ＢはステップＳ９にて、上記端末操作によらないアプリケーションに起因する送信データを送信する。
【００３４】
以上説明した第２実施形態によれば、端末操作が所定時間以上無い状況では、所定の受信必須信号が受信されていないとき、端末操作によらないアプリケーションに起因する送信データが有っても、すぐに送信されるわけではなく、ある時間間隔で、当該端末操作によらないアプリケーションに起因する送信データは送信される。従って、ユーザが意図しない通信の発生を抑止し、端末操作によらないアプリケーションに起因する送信データを個別に複数回送信する処理のオーバーヘッドを省き、無駄な電力消費を防止することができる。
【符号の説明】
【００３５】
１０…携帯端末、１０Ａ…ＣＰＵ、１０Ｂ…ＲＡＭ、１０Ｃ…ＲＯＭ、１０Ｄ…通信モジュール、１０Ｅ…補助記憶装置、１０Ｆ…入力装置、１０Ｇ…出力装置、１１…受信部、１２…受信判定部、１３…無操作検知部、１４…アプリ起因送信データ有無判定部、１５…送信制御部、１５Ａ…タイミング判定部、１５Ｂ…送信部。
【図１】
0005620438.tif 000002
【図２】
0005620438.tif 000003
【図３】
0005620438.tif 000004
【図４】
0005620438.tif 000005
【図５】
0005620438.tif 000006